(57)【要約】　　　（修正有）【課題】画像サービスの注文を容易にする方法を提供する。【解決手段】少なくとも１つの高解像度デジタル画像ファイル及び関連する識別子を写真仕上げ業者の画像保存装置に保存する段階、少なくとも１つの高解像度デジタル画像ファイル及び関連する識別子をメモリ装置に保存する段階、メモリ装置をユーザに供給する段階、ユーザの選択ソフトウェアを用いて少なくとも１つの画像サービスの注文を作り出すユーザ選択により少なくとも１つの高解像度デジタル画像ファイル及び少なくとも１つの画像サービスを選択する段階、写真仕上げ業者が通信ネットワークによりユーザから少なくとも１つの画像サービスの注文を受け取る段階、及び、少なくとも１つの画像サービスの注文を実行するために写真仕上げ業者の画像保存装置に保存された少なくとも１つの高解像度デジタル画像ファイルを用いて少なくとも１つの画像サービスの注文を実行する段階、から構成される。【選択図】　　　　図２
2004048672.tif 000002
【特許請求の範囲】
【請求項１】
画像サービスの注文を容易にするための方法であって：
ａ）写真仕上げ業者にユーザの露出済みフィルムを提供する段階；
ｂ）前記フィルムにおける少なくとも１つの潜像を現像するために前記露出済みフィルムを現像する段階；
ｃ）前記露出済みフィルムにおける前記少なくとも１つの潜像についての少なくとも１つの高解像度デジタル画像を得るために現像済みフィルムを走査する段階；
ｄ）前記少なくとも１つの高解像度デジタル画像ファイルに識別子を関連付け、前記少なくとも１つの高解像度デジタル画像ファイル及び前記関連付けられた識別子を写真仕上げ業者の画像保存装置に保存する段階；
ｅ）前記少なくとも１つの高解像度デジタル画像ファイル及び前記関連付けられた識別子をメモリ装置に保存する段階；
ｆ）メモリ装置を前記ユーザに供給する段階；
ｇ）ユーザの選択ソフトウェアを用いて表示のために前記少なくとも１つの高解像度デジタル画像ファイル及び少なくとも１つの画像サービスを選択する段階；
ｈ）前記ユーザの選択ソフトウェアを用いて少なくとも１つの画像サービスの注文を作り出す段階；
ｉ）前記写真仕上げ業者が通信ネットワークにより前記ユーザから前記少なくとも１つの画像サービスの注文を受け取る段階；及び
ｊ）前記少なくとも１つの画像サービスの注文を実行するために前記写真仕上げ業者の画像保存装置の前記少なくとも１つの保存された高解像度デジタル画像ファイルを用いて前記少なくとも１つの画像サービスの注文を実行する段階；
から構成される方法。
【請求項２】
メモリ装置であって：
ａ）遠隔の写真仕上げ業者のところに保存された対応する画像ファイルと実質的に同じ解像度である捕捉された画像ファイル；及び
ｂ）遠隔の写真仕上げ業者のところの前記対応する画像ファイルから画像を担持するサービスの注文をユーザが作り出すことを可能にする選択ソフトウェアであって、前記遠隔の写真仕上げ業者が前記メモリ装置にアクセスする情報ネットワークにより前記メモリ装置に自動的に接続される選択ソフトウェア；
から構成されるメモリ装置。
【請求項３】
画像サービスの注文を実行するための写真選択システムであって：
ａ）高解像度デジタル画像ファイルを受け取って送る写真仕上げ用高解像度画像保存デバイス；
ｂ）前記高解像度デジタル画像ファイルを得るための手段；
ｃ）消費者のその後の使用のために前記高解像度デジタル画像ファイルをメモリ装置に保存するメモリ装置ライタ；及び
ｄ）前記消費者から如何なる画像ファイルも伴わずに画像サービスの注文を受け取り、プリントサーバに前記画像サービスの注文を送る電気通信サーバであって、前記プリントサーバは前記高解像度画像保存装置から前記高解像度デジタル画像ファイルの転送を要求する電気通信サーバ；
から構成される写真仕上げ用高解像度画像保存デバイス。
【請求項４】
画像サービスの注文を容易にするための方法であって：
ａ）写真仕上げ業者にユーザの露出済みフィルムを提供する段階；
ｂ）前記露出済みフィルムの少なくとも１つの潜像を現像するために前記露出済みフィルムを現像する段階；
ｃ）前記露出済みフィルムの前記少なくとも１つの潜像の少なくとも１つの高解像度デジタル画像ファイルを得るために現像済みフィルムを走査する段階；
ｄ）前記少なくとも１つの高解像度デジタル画像ファイルに識別子を関連付けて、前記少なくとも１つの高解像度デジタル画像ファイル及び前記関連付けられた識別子を写真仕上げ業者の画像保存装置に保存する段階；
ｅ）少なくとも１つの高解像度デジタル画像ファイル及び前記関連付けられた識別子をメモリ装置に保存する段階；
ｆ）前記ユーザに前記メモリ装置を供給する段階；
ｇ）少なくとも１つの画像サービス及び拡大表示のための少なくとも１つの高解像度デジタル画像ファイルを選択し、ユーザの選択ソフトウェアにより前記少なくとも１つの高解像度デジタル画像ファイルをクロッピングする段階；
ｈ）前記ユーザの選択ソフトウェアを用いて画像サービスの注文を作り出す段階；
ｉ）前記写真仕上げ業者が情報ネットワークによりユーザから前記画像サービスの注文を受け取る段階；及び
ｊ）前記画像サービスの注文を実行するために前記写真仕上げ業者の画像保存装置における前記少なくとも１つの保存済み高解像度デジタル画像ファイルを用いて前記画像サービスの注文を実行する段階；
から構成される方法。
【発明の詳細な説明】
【０００１】
【発明の属する技術分野】
本発明は、一般に写真撮影及び写真仕上げの分野に関わり、特に、サービスプロバイダにより供給される好ましい画像及びその修正についての選択及び指定に関する。
【０００２】
【従来の技術及び発明が解決しようとする課題】
消費者は、プリントする個人的な画像を選択するために確固たる要望を示す。消費者は、良さまたは価値があると認められる画像のみをプリントしたいと思う。この可能性を消費者に提供する１つの方法は、インターネットにおいて個人的な画像を載せることである。写真仕上げ業者は、消費者により提供されたフィルムを処理し、走査し、次いで、好ましい写真の選択を可能にするに十分高い所定の解像度で走査を載せる。これにより、消費者は、自宅のコンピュータまたは対話式の売店により画像を選択すること可能となる。しかしながら、消費者はまた、パスワード及び他の画像を安全に保つ方法を用いてさえも、ウェブに個人的な画像を載せることに嫌悪感を示し、それ故、これらのインターネット上のサービスを利用することに対して消極的である。さらに、消費者は彼らの明瞭に現れた彼らの画像を受け取ることを好み、ウェブにおいて載る画像はすべてが、多くの消費者にとって過度に仮想的なものとなっている。
【０００３】
デジタルカメラを用いる消費者はまた、高品質のプリントを得ることを試みるとき、問題に直面する。彼らの自宅のプリンタが消費者の要望するプリントの品質の通りにプリントするには適当でない場合、または用いることが難しい場合、消費者はプリントするためにサービスプロバイダに画像をアップロードしなければならない。これは、低い帯域幅の接続を用いる消費者にとっては、一般に問題となる。それはまた、大量のデータを送信することに関連する困難な点が多いプロセスでもある。さらに、デジタルカメラのユーザはまた、インターネットによる代表的なものとしての“イーサネット（登録商標）”に彼らの画像を送る際はしばしば容易ではない。
【０００４】
前述の問題点に対する１つの解決策は、２０００年１月２５日にＨｉｃｋｓに発行された、“写真プリントを製造する方法”と題された米国再発行特許発明第３６，５３５号明細書に記載されている。Ｈｉｃｋｓは２つのワークステーション、即ち写真ラボにある第１コンピュータ、フォトグラファのスタジオにある第２コンピュータを開示した。第２コンピュータのところで、消費者は、試験プリントと共に、フィルムのコマに捕捉され、ディスケットに保存されたビデオ画像を見ることが可能である。消費者にフィルム画像及び試験プリントを送る前に、写真ラボで、フィルムのコマに対して初期の一連の補正がなされる。
【０００５】
図１は、Ｈｉｃｋｓのシステムを示している。写真ラボ１２は、カメラを用いて写真を撮られたものであって、被写体１４について露出されたフィルムを受け取る。写真ラボ１２で、現像装置１８、編集装置２０及び分析装置２２により、露出されたフィルムを処理し、フィルムに初期的な修正を施す。初期的な修正はデータベース２８及びディスケット３０に保存される。各フィルムのコマにはマークが付けられる。モニタ２２ａに各フレームの画像を表示し、初期的な修正の間に色及び濃度を調整することが可能である。
【０００６】
編集され、そして分析されたフィルムは試験プリンタ２４に移される。試験プリンタ２４はまた、各フィルムのコマに対応する試験プリントを作製するためにデータベース２８及びディスケット３０からの情報も用いる。消費者が試験プリントを受け入れたとき、最終プリンタ２６は最終プリントを作製する。
【０００７】
消費者から受け入れられる前に、消費者は、スタジオのコンピュータ３２にディスケット３０をセットしたとき、スタジオのコンピュータモニタ３２ａでディスケット３０に保存されたビデオ画像を見ることができる。ビデオ画像表示情報ボックス３４ａは、クロッピングのような初期的修正を、フィルムのバッチ番号及びコマ番号と共に表示する。プリンタ３４は、ディスケット３０からの画像をプリントすることが可能である。画像は、写真スタジオ１０でスタジオコンピュータモニタ３２ａに表示される。この場合、写真スタジオ１０からのプリント済み画像は、注文されたプリント特性を示すレシートとしての機能を示すだけである。ディスケット３０は、最終的な高解像度プリントの処理を行うために写真ラボ１２に戻されなければならない。
【０００８】
Ｈｉｃｋｓのシステムにおいては、消費者が高解像度の試験プリントの例を見ることができるように、ディスケット３０のビデオ画像ファイルと共に試験プリントを送ることが必要である。したがって、修正または補正済みのビデオ画像ファイルは高解像度画像を含まない。更に、最終的なプリント出力を提供するために、Ｈｉｃｋｓのシステムにおいては大規模なフィルム管理が必要である。また、ビデオ画像ファイルは、写真仕上げ業者のところには保存されていないが、その代わり、モデムまたは他の手段を経由して消費者から写真仕上げ業者のところに伝達される。
【０００９】
必要とされるものは、高解像度画像を修正し、そしてデータ量の多い画像ファイルを実際に送らないで、写真仕上げ業者にそれらの修正内容を送るための、消費者の好みに合った写真選択システムである。
【００１０】
【特許文献１】
米国再発行特許発明第３６，５３５号明細書
【課題を解決するための手段】
本発明は、画像サービスのための注文を容易に行うための方法を提供することにより１つ以上の問題点を克服することを意図するものであり、次のような段階から構成される。即ち、ａ）写真仕上げ業者にユーザの露出済みフィルムを提供する段階、ｂ）前記フィルムにおける少なくとも１つの潜像を現像するために前記露出済みフィルムを現像する段階、ｃ）前記露出済みフィルムにおける前記少なくとも１つの潜像についての少なくとも１つの高解像度デジタル画像を得るために現像済みフィルムを走査する段階、ｄ）前記少なくとも１つの高解像度デジタル画像ファイルに識別子を関連付け、前記少なくとも１つの高解像度デジタル画像ファイル及び前記関連付けられた識別子を写真仕上げ業者の画像保存装置に保存する段階、ｅ）前記少なくとも１つの高解像度デジタル画像ファイル及び前記関連付けられた識別子をメモリ装置に保存する段階、ｆ）メモリ装置を前記ユーザに供給する段階、ｇ）ユーザの選択ソフトウェアを用いて表示のために前記少なくとも１つの高解像度デジタル画像ファイル及び少なくとも１つの画像サービスを選択する段階、ｈ）前記ユーザの選択ソフトウェアを用いて少なくとも１つの画像サービスの注文を作り出す段階、ｉ）前記写真仕上げ業者が通信ネットワークにより前記ユーザから前記少なくとも１つの画像サービスの注文を受け取る段階；及びｊ）前記少なくとも１つの画像サービスの注文を実行するために前記写真仕上げ業者の画像保存装置の前記少なくとも１つの保存された高解像度デジタル画像ファイルを用いて前記少なくとも１つの画像サービスの注文を実行する段階、である。
【００１１】
本発明の他の実施形態はメモリ装置であって、遠隔の写真仕上げ業者のところに保存された対応する画像ファイルと実質的に同じ解像度である捕捉された画像ファイルと、遠隔の写真仕上げ業者のところの前記対応する画像ファイルから画像を担持するサービスの注文をユーザが作り出すことを可能にする選択ソフトウェアであって、前記遠隔の写真仕上げ業者が前記メモリ装置にアクセスする情報ネットワークにより前記メモリ装置に自動的に接続される選択ソフトウェアと；から構成されるメモリ装置と、から構成されるメモリ装置である。
【００１２】
本発明の他の実施形態は画像サービスの注文を実行するための写真選択システムであって、高解像度デジタル画像ファイルを受け取って送る写真仕上げ用高解像度画像保存デバイス、前記高解像度デジタル画像ファイルを得るための手段と、消費者のその後の使用のために前記高解像度デジタル画像ファイルをメモリ装置に保存するメモリ装置ライタ、及び、前記消費者から如何なる画像ファイルも伴わずに画像サービスの注文を受け取りプリントサーバに前記画像サービスの注文を送る電気通信サーバであって前記プリントサーバは前記高解像度画像保存装置から前記高解像度デジタル画像ファイルの転送を要求する電気通信サーバ、から構成される写真仕上げ用高解像度画像保存デバイスである。
【００１３】
本発明の他の１つの実施形態は画像サービスの注文を容易にするための方法あり、次のような段階から構成される。即ち、ａ）写真仕上げ業者にユーザの露出済みフィルムを提供する段階、ｂ）露出済みフィルムの少なくとも１つの潜像を現像するために露出済みフィルムを現像する段階、ｃ）露出済みフィルムの前記少なくとも１つの潜像の少なくとも１つの高解像度デジタル画像ファイルを得るために現像済みフィルムを走査する段階、ｄ）少なくとも１つの高解像度デジタル画像ファイルに識別子を関連付けて、少なくとも１つの高解像度デジタル画像ファイル及び関連付けられた識別子を写真仕上げ業者の画像保存装置に保存する段階、ｅ）少なくとも１つの高解像度デジタル画像ファイル及び関連付けられた識別子をメモリ装置に保存する段階、ｆ）ユーザに前記メモリ装置を供給する段階、ｇ）少なくとも１つの画像サービス及び拡大表示のための少なくとも１つの高解像度デジタル画像ファイルを選択し、ユーザの選択ソフトウェアにより前記少なくとも１つの高解像度デジタル画像ファイルをクロッピングする段階、ｈ）ユーザの選択ソフトウェアを用いて画像サービスの注文を作り出す段階、ｉ）写真仕上げ業者が情報ネットワークによりユーザから画像サービスの注文を受け取る段階、及び、ｊ）画像サービスの注文を実行するために写真仕上げ業者の画像保存装置における少なくとも１つの保存済み高解像度デジタル画像ファイルを用いて前記画像サービスの注文を実行する段階、から構成される方法である。
【００１４】
【発明の実施の形態】
ユーザは、画像を捕捉するために、カメラ内のフィルムを露出する。ユーザは、使い切りカメラ（ＯＴＵＣ：Ｏｎｅ‐Ｔｉｍｅ‐Ｕｓｅ‐Ｃａｍｅｒａ）内のフィルムを露出することも可能である。フィルムロールを使い切ったとき、小売店の場所を経由して写真仕上げ業者にまたはメイラにそれは送られる。写真仕上げ業者はフィルムの処理を行い、走査する。満足できる最終プリントを作り出すために解像度を適切にするように、フィルムは高解像度で走査される。この解像度は、全国テレビジョン方式委員会（ＮＴＳＣ：Ｎａｔｉｏｎａｌ　Ｔｅｌｅｖｉｓｉｏｎ　Ｓｙｓｔｅｍ　Ｃｏｍｍｉｔｔｅｅ）のビデオ解像度より常に著しく高い（典型的には、動的解像度は約７２０画素ｘ４８５画素、総合解像度は８５８画素ｘ５２５画素）。本発明の画像ファイルは圧縮され、ＣＤ等のメモリ装置に、典型的には１５００画素ｘ１０００画素で書き込まれる。このＣＤは、小売店の場所またはメイラを経由して、ユーザに返される。
【００１５】
現在、業務上の理由により、ユーザはＣＤを注文すると同時にプリントを注文しなければならない。本発明はこのプロセスを変更するものである。写真選択サービスのためのシステム１００は図２に示されている。画像サービスの注文１３２を実行するための写真選択サービスシステム１００は次のようなものから構成される：高解像度画像ファイル１１２を受け取りそして送る写真仕上げ用高解像度画像保存装置１１０と；露出済みフィルム画像１１７を現像するためのフィルム処理装置１１５；高解像度デジタル画像ファイル１１２を得るために現像済みフィルム１１９を走査するためのフィルムスキャナ１２０（或いは、高解像度デジタル画像ファイルは、第三者または写真仕上げ業者が所有する遠隔の保存装置にアップロードされる）；メモリ装置１２７（或いは、メモリ装置は、制限されることなく、コンパクトディスク（ＣＤ）、ジップディスク、デジタルビデオディスク（ＤＶＤ）、メモリカード、スマートカード、メモリスティック、またはテープ等の磁気保存容量を有する装置）に、消費者のその後の使用のために、高解像度デジタル画像ファイル１１２を保存するメモリ装置ライタ１２５；及び、消費者からの如何なる画像ファイルも伴わない画像サービスの注文１３２を受け取り、プリントサーバ１３５にその画像サービスの注文１３２を転送する電気通信サーバ１３０であって、プリントサーバ１３５は高解像度画像保存装置１１０からの高解像度デジタル画像ファイル１１２の画像転送要求１３７をする電気通信サーバ１３０。
【００１６】
また、写真選択サーバシステム１００により、電気通信サーバ１３０は、９６００以上の通信速度をもつモデム、無線装置、または衛星装置等のデータ伝送装置１４０から画像サービスの注文１３２を受け取ることが可能となる。以上のようなデータ伝送装置のすべては当業者には周知のものである。
【００１７】
メモリ装置１２７は高解像度画像を保存することが可能である装置として定義され、または、写真仕上げ業者からの画像化サービスをユーザが要求または注文することを可能にする選択ソフトウェアとして定義される。メモリ装置１２７は、如何なる特定の形状、大きさ、形式、または容量を制限することを必要としない。メモリ装置１２７は高解像度デジタル画像を保存するために適切な容量を有しなければならない。高解像度デジタル画像ファイル１１２をもつメモリ装置１２７は遠隔的使用のために消費者に与えられる。メモリ装置１２７は、郵送されることも、または小売店で消費者に与えられることも可能である。更に、消費者は、メモリ装置１２７の選択ソフトウェアをダウンロードし、消費者自身のＣＤまたはＤＶＤにコピーすることが可能である。メモリ装置１２７は消費者のコンピュータ１２８に取り付けられる。
【００１８】
メモリ装置１２７における選択ソフトウェアは、画像サービスの注文１３２を作り出すための有効注文期間を含む。その有効注文期間は写真仕上げ業者により決められるが、選択ソフトウェアと画像化サービスの迅速な使用を促進するために顧客が設定することも可能である。選択ソフトウェアはまた、高解像度画像ファイル１１２を複製したコピーを有する写真仕上げ業者のアドレスを含む。そのアドレスは、電子メールアドレス、ＩＰアドレス、郵送用住所、またはフリーダイヤルの電話番号とすることが可能である。画像化サービスを注文する前に、万一、消費者がずるずる先延ばしにし、有効注文期間が切れてしまったら、選択ソフトウェアはその機能性を変更し、他の画像化に関連する目的のための変更を行うであろう。
【００１９】
最終的に、選択ソフトウェアは、保存済みの高解像度画像及び種々の画像化サービスの注文の誘引付加価値を利用するための画像識別子を含む。画像化サービスは、画像編集、画像転送、及びＴシャツ、カップ、マウスパッド及び画像フレーム内に画像の張り付けを含むことが可能である。
【００２０】
１つの実施形態において、写真仕上げ業者は、ＣＤ１２７に書き込まれた同一のまたは対応する高解像度デジタル画像ファイル１１２を画像保存装置１１０に保存する。それに代えて、他の実施形態では、類似する画像内容であるが異なる解像度の画像ファイルを保存することが可能である。これらの識別子は、写真仕上げ業者に保存された対応する高解像度デジタルファイル１１２と共にＣＤ１２７における高解像度デジタルファイル１１２の迅速な識別を可能にする。また、パスワードがディスクに書き込まれ、ユーザの画像ファイルの安全を確保するために保存される。
【００２１】
ユーザがＣＤ１２７を受け取るとき、ＣＤ１２７におけるユーザ選択ソフトウェアにより対応する高解像度デジタル画像ファイルを見ることが可能である。このユーザの選択ソフトウェアは、現在、Ｋｏｄａｋ　Ｐｉｃｔｕｒｅ　ＣＤ（商標登録）ディスクに常駐している。ユーザの選択ソフトウェアにより、ユーザは、高解像度デジタル画像を表示し、プリント及びサービスのオプションを選択するためにこれらの画像を使用することが可能である。高解像度デジタル画像を用いることの１つの特長は、ユーザが、ズーミング及びクロッピングについての高解像度の結果を見ながら、デジタル画像の拡大及びクロッピングを行うことが可能であることである。その結果、ユーザは、ユーザの画像サービスの注文１３２を実行する際にその画像は実際にはどのようになるのかに関して、非常に好適な考えをもつことができる。これは、現在、Ｋｏｄａｋ　Ｐｉｃｔｕｒｅ　ＣＤ（商標登録）からオンラインの写真仕上げ業者に画像をアップロードすることにより可能である一方、本発明は、これらの画像ファイルのアップロードを必要ないものにすることにより特徴付けられる。
【００２２】
所定の時間内に、ユーザは、画像をアップロードすることなく、少なくとも１つの画像と、そして、標準またはカスタムサイズのプリント化、拡大、クロッピング、特別の効果、画像ページ（Ｐｉｃｔｕｒｅ　Ｐａｇｅｓ）の指定、画像ファイルのオーガナイジング（ｏｒｇａｎｉｚｉｎｇ）及びアーカイビング等を含むことが可能である少なくとも１つの画像サービスとを、選択することが可能である。簡単な方式においては、ユーザは、標準サイズのプリントを行うために、少なくとも１つの画像を指定することだけは必要である。ＣＤ１２７を作製した写真仕上げ業者または第３者は、ＣＤ１２７に画像に対応する高解像度画像ファイル１１２を保存する。その高解像度画像ファイルはデジタル画像を含む。プリントサーバ１３５は、デジタル画像を受け取って処理するために設置され、電気通信サーバ１３０によりユーザのメモリ装置１２７にネットワーク化されることが可能である。１つの実施形態において、プリントサーバ１３５は、高解像度画像保存装置１１０からの高解像度デジタル画像ファイル１１２の転送を要求する。ユーザがプリント及びサービスを指定するとき、写真仕上げ業者または第三者に（ある限定された時間）保存された画像は画像サービスの注文を実行するために用いられる。写真仕上げ業者のところのデジタルプリントサーバ１３５は、画像サービスの注文１３２を実行するために、写真仕上げ業者の高解像度画像保存装置１１０に保存された高解像度デジタル画像ファイル１１２を用いる。画像ファイルをアップロードすることは必要なく、画像ファイルを送ることもない。しかしながら、写真仕上げ業者または第三者は、通信ネットワーク１４１上のユーザから画像サービスの注文１３２を受け取る。９６００以下の通信速度をもつモデム等のデータ送信装置１４０は、困難を伴わずに画像サービスの注文１３２を支援する。そこで、遠隔地の写真仕上げ業者は、メモリ装置にアクセスする通信ネットワーク１４１によりユーザのメモリ装置に自動的に接続される。
【００２３】
高解像度デジタル画像ファイル１１２はユーザの決定権でソフトウェアを改良できるため、その改良の効果を高解像度において見ることが可能である。ユーザにとっての利点は、極端な拡大等の修正を将来のプリントの品質に対応する方式で表示することが可能であることである。極端な拡大はユーザに出力画像プロダクトを評価するための情報を提供する。
【００２４】
写真仕上げ業者は、自分の業務上の必要性に最も適合するように注文の指定有効期間を選択することが可能である。ユーザが画像を担持するプロダクトを注文しない場合、データ量の多い高解像度画像を保存する意味はない。ただのプリントまたは付加的サービス等のマーケティングインセンティブは、自分の画像をみてできるだけ早く注文するようにユーザを仕向ける役割を果たすことが可能である。注文の指定有効期間が切れる前に、写真仕上げ業者は、ユーザのアドレスを知っている場合は、郵便または電子メール等のユーザに刺激となるものを送ることが可能である。保存時間はＣＤ１２７に書き込まれているので、ユーザは、画像が写真仕上げ業者のところで利用可能である時間に関連するソフトウェアにより刺激を受ける。サービスがバンドルプリントにより販売されている場合、プリントが時期を得た流行に即したものでないとしても、刺激を受けることによるそのサービスを使用するインセンティブは投資の潜在的削減によって提供される。出力の価値は、数多くのプロダクトの間で混合され且つ適合され、または、ユーザは、未だに商品に換えていない価値に対する信頼を増すことが可能である。商品に換えていない価値に対してクーポンを発行することが可能である。季節性のあるプロダクトの提供が容易である。“簡単に注文できる”特長としての時間を意識する性質は緊急感を駆り立てることである。
【００２５】
ＣＤ１２７におけるソフトウェアは写真仕上げ業者のウェブサイトに接続可能であり、または、そのような接続がなくても局所的に使用することが可能である。そのソフトウェアがウェブへの接続なしに用いられるとき、電子メールにより、または郵便サービスにより送られるプリントされた出力によってさえも、その注文を送ることが可能である。
【００２６】
ＣＤ１２７を作製する写真仕上げ業者のウェブサイト（または電子メール）のアドレスはディスクに書き込まれている。注文を送るときが来ると、適切な写真仕上げ業者に連絡をとるために、ソフトウェアはＣＤ１２７にあるアドレスにアクセスする。そのソフトウェアは、ＣＤ１２７に高解像度デジタル画像ファイル１１２を書き込み、対応する画像ファイルを保存した特定の写真仕上げ業者に連絡できるユーザを限定する。
【００２７】
注文番号及び画像番号もまた、ＣＤ１２７に書き込まれる。ユーザは厄介な
数字群をキーインする必要がない。そのソフトウェアは注文番号にアクセスするので、注文に際して如何なるエラーまたは混乱状態が生じることはない。
【００２８】
写真仕上げ業者のところで、ＣＤにおける画像に対応する消費者の画像は、画像ファイルと共に保存されたＩＤに基づいて確認される。ＩＤは、好適な画像サービスが適切な画像を実現することを確実にするために用いられる。
【００２９】
写真仕上げ業者のところで画像の保存時間を最小にするために注文プロセスのタイミングを指定することが可能である。割り当てられた期間終了の際に、写真仕上げ業者は任意の行動を興すことが可能である。例えば、写真仕上げ業者が、ＣＤにおける画像ファイルに対応する、写真仕上げ業者のところの保存装置に保持された画像ファイルのための識別子に対応するウェブサイトまたは電子メールによる注文がない場合、注文は、フィルムを供給した処理バッグにおける情報に従って、または、各画像について１つのプリントのような任意のディフォルトの方式で、処理されるであろう。
【００３０】
それに代わって、写真仕上げ業者に送られる注文フォームを印刷することがある。これにより、ユーザが写真仕上げ業者にインターネットまたは電子メールにより接続するあらゆる必要性を低減する。注文フォームは、ＣＤにおけるソフトウェアによりなされたユーザの選択に基づいてユーザのところでプリントされ、この注文フォームは、郵便または小売店の写真仕上げ用バッグにより写真仕上げ業者に送られる。好適には、注文フォームは機械可読であるため、写真仕上げ業者のところの簡単な走査の操作により写真仕上げ業者のシステムに注文を入力することが可能であることから、適切なプロダクト及びサービスが提供される。
【００３１】
画像サービスのための注文を容易にする方法、ここで、写真仕上げ業者のアドレスはメモリ装置に保存される。
【００３２】
画像サービスのための注文を容易にする方法、ここで、有効注文日がメモリ装置に保存される。
【００３３】
画像サービスのための注文を容易にする方法、ここで、注文の誘引付加価値がメモリ装置に保存される。
【００３４】
画像サービスのための注文を容易にする方法、ここで、ユーザは、写真仕上げ業者から遠隔の場所で選択する。
【００３５】
画像サービスのための注文を容易にする方法であって、次の段階から構成される、それらは、ａ）写真仕上げ業者にユーザの露出フィルムを提供する段階、ｂ）フィルムにおける少なくとも１つの潜像を現像するために露出フィルムを現像する段階、ｃ）露出フィルムにおける少なくとも１つの潜像の少なくとも１つの高解像度デジタル画像を得るために現像フィルムを操作する段階、ｄ）少なくとも１つの高解像度デジタル画像ファイルに識別子を関連付け、少なくとも１つの高解像度デジタル画像ファイル及び写真仕上げ業者の画像保存装置における関連付けられた識別子を保存する段階、ｅ）少なくとも１つの高解像度デジタル画像ファイル及びメモリ装置に関連付けられた識別子を保存する段階、ｆ）メモリ装置をユーザに供給する段階、ｇ）ユーザ選択ソフトウェアにより、表示装置のために少なくとも１つの高解像度デジタル画像ファイル、及び少なくとも１つの画像サービスを選択する段階、ｈ）ユーザ選択ソフトウェアを用いて少なくとも１つの画像サービスの注文を作成する段階、ｉ）写真仕上げ業者が通信ネットワークによりユーザから少なくとも１つの画像サービスの注文を受け取る段階、ｊ）少なくとも１つが像サービスの注文を実行するために写真仕上げ業者の画像保存装置に保存された少なくとも１つの高解像度デジタル画像ファイルを用いて少なくとも１つの画像サービスの注文を実行する段階、ｋ）ユーザのメモリ装置にネットワーク化された電気通信サーバから少なくとも１つの画像サービスの注文をプリントサーバで受け取る段階であって、写真仕上げ業者のアドレス及び有効注文日をユーザのメモリ装置に保存させる段階、及びｌ）プリントサーバに写真仕上げ業者の画像保存装置から少なくとも１つの高解像度デジタル画像ファイルを送る段階、である。
【００３６】
メモリ装置であって、選択ソフトウェアが画像を担持するサービスの注文を作成するために有効注文期間を含むメモリ装置。
【００３７】
メモリ装置であって、選択ソフトウェアが写真仕上げ業者のアドレスを含むメモリ装置。
【００３８】
メモリ装置であって、選択ソフトウェアは、遠隔地の写真仕上げ業者のところに保存された対応する画像ファイルの迅速な確認を可能にする画像識別子を含むメモリ装置。
【００３９】
メモリ装置であって、選択ソフトウェアは、切れた有効注文期間に関して機能性を変更するメモリ装置。
【００４０】
メモリ装置であって、選択ソフトウェアは、注文の誘引付加価値を含むメモリ装置。
【００４１】
画像サービスの注文を容易にするための方法であって、更に次のような段階から構成され、それらは、ｋ）ユーザのメモリ装置にネットワーク化された電気通信サーバから少なくとも１つの画像サービスの注文をプリントサーバに受け取る段階、及び、ｌ）写真仕上げ業者の画像保存装置からプリントサーバに少なくとも１つの高解像度デジタル画像ファイルを送る段階、である。
【００４２】
画像サービスの注文を実行するための写真選択システムであって、電気通信サーバはデータ送信装置から画像サービスの注文を受け取る写真選択システム。
【００４３】
画像サービスの注文を実行するための写真選択システムであって、高解像度デジタル画像ファイルを有するメモリ装置が遠隔使用のために消費者に与えられる写真選択システム。
【００４４】
画像サービスの注文を実行するための写真選択システムであって、メモリ装置は画像サービスの注文を作成するために有効注文期間を有する選択ソフトウェアを含む写真選択システム。
【００４５】
メモリ装置であって、選択ソフトウェアは写真仕上げ業者のアドレスを含むメモリ装置。
【００４６】
メモリ装置であって、選択ソフトウェアは写真仕上げの高解像度画像保存装置に保存された対応する高解像度デジタル画像ファイルを迅速に確認することが可能である画像識別子を含むメモリ装置。
【００４７】
メモリ装置であって、選択ソフトウェアは切れた有効注文期間に関して機能性を変更するメモリ装置。
【００４８】
メモリ装置であって、選択ソフトウェアは注文の誘引付加価値を含むメモリ装置。
【００４９】
メモリ装置であって、高解像度デジタル画像ファイルを得るための手段は現像されたフィルムを走査することを含むメモリ装置。
【００５０】
メモリ装置であって、高解像度デジタル画像ファイルを得るための手段は遠隔保存装置にデジタル画像をアップロードすることを含むメモリ装置。
【００５１】
画像サービスの注文を容易にするための方法であって、メモリ装置はＣＤ、ＤＶＤ、ジップディスク、メモリカード、スマートカード、及びメモリスティックから構成される群から選択される方法。
【００５２】
メモリ装置であって、メモリ装置はＣＤ、ＤＶＤ、ジップディスク、メモリカード、スマートカード、及びメモリスティックから構成される群から選択されるメモリ装置。
【００５３】
画像サービスの注文を実行するための写真選択システムであって、メモリ装置はＣＤ、ＤＶＤ、ジップディスク、メモリカード、スマートカード、及びメモリスティックから構成される群から選択される写真選択システム。
【００５４】
画像サービスの注文を容易にするための方法であって、ユーザ選択ソフトウェアは写真仕上げ業者のところに保存された対応する高解像度デジタル画像ファイルを迅速に確認することが可能である画像識別子を含む方法。
【００５５】
画像サービスの注文を容易にするための方法であって、有効注文日がメモリ装置に保存される方法。
【００５６】
画像サービスの注文を容易にするための方法であって、注文の誘引付加価値がメモリ装置に保存される方法。
【００５７】
画像サービスの注文を容易にするための方法であって、ユーザは写真仕上げ業者から遠く離れた場所で選択することができる方法。
【図面の簡単な説明】
【図１】従来の技術における写真家のスタジオと写真ラボラトリの間の写真プロセスを模式的に示す流れ図である。
【図２】高解像度画像ファイルの必要な流れと不必要な流れを示す本発明の模式図である。
【符号の説明】
１０　　　写真スタジオ
１２　　　写真ラボ
１４　　　被写体
１６　　　カメラ
１８　　　現像装置
２０　　　編集装置
２２　　　分析装置
２２ａ　　モニタ
２４　　　試験プリンタ
２６　　　最終プリンタ
２８　　　データベース
３０　　　ディスケット
３２　　　スタジオのコンピュータ
３２ａ　　スタジオのコンピュータのモニタ
３４　　　プリンタ
３４ａ　　ビデオ画像表示情報ボックス
１００　　写真選択サービスシステム
１１０　　高解像度画像保存装置
１１２　　高解像度デジタル画像ファイル
１１５　　フィルム処理装置
１１７　　露出フィルム画像
１１９　　現像フィルム
１２０　　フィルムスキャナ
１２５　　メモリ装置ライタ
１２７　　メモリ装置
１２８　　消費者コンピュータ
１３０　　電気通信サーバ
１３２　　画像サービスの注文
１３５　　プリンタサーバ
１３７　　画像転送要求
１４０　　データ伝送装置
１４１　　情報ネットワーク
【図１】
2004048672.tif 000003
【図２】
2004048672.tif 000004